(57)【要約】      （修正有）【課題】比較的に硬い野菜と果物の上でも完璧な球体が得られるバイトを提供する。【解決手段】取手主体と半分円型の刀の碗３、その中の主体は半円碗型の刀間とあって件につながると、半円碗型の刀は円柱形の機械部品など両端の面と主体は４５〜６０度の角度になって、１面の枢につながって１の長い連接棒をつないで、この長い連接棒の１面は軸を回してと１の短い連接棒につながることを通して；リードを弾いてと軸を巻いて回して長い連接棒と短い連接棒の内で設けて長い連接棒の別の１面は１ドローバーがあってこのドローバーの１面は埋めてあんの材料のホッパーを設けてすることがあって、ドローバーが適当で埋めるにあんの材料の角度を曲がる、主な竿の体の上でまたかなめを通して１の曲がっている竿があって、この曲がった竿の一部は短い連接棒の上部でよることをおさえて、曲がった竿の１面は取っ手１である。【選択図】図１
2008109949.tif 000002
【特許請求の範囲】
【発明の詳細な説明】
説        明        書
改良回しボール取りバイト
技術の領域
この実用新案は食品を加工するバイトに関連する、特に食品を加工することが餡入り機能付回しボール取りバイトに関連する。このバイトは比較的に硬い野菜と果物の上でとても完璧な球体を得る。
技術の背景
食品の飲食業の中で、通常いくつか造型の製品を加工して、これらの造型の製品はバイトを通して加工してなるのだ。今ごろ、食品を加工することに用いて、例えば野菜、果物の造型のバイトは種類が非常に多くて、原料加工が球形のバイトになることにとって、現在このようなバイトは半円形碗の刀構造で、それは円形の製品だけを加工することができて、半円のてっぺんで穴がひとつあって、その作用は操作の時に気体を放つので、この穴は放気穴と言います、このようなバイトの取っ手と刀の碗は平行の構造になって、そのため操作する時抵抗力は大きくて、作用力は不合理で、操作はきわめて不便である、しかも刀の碗は原料を挿して円の最適部位を出すことができない。それ以外に作った球体の製品は円ではない、製品の外観がよくないことをもたらす。当申請者はこのようなバイトに対して（ＣＮ２００３２０１０００６４）改良して、主な竿と半円形の刀碗と接続の角度に対して改良、しかしこのようなバイトはやはり一定の問題が存在して、例えば完全している円形を得ることができなくて、そのため改良の必要がある
当新型の内容
実用的な新型の目的は上述であることを克服して技術の欠陥があって、１種改良して回しボールのバイトを提供して、それは刀碗の周辺の設置がへこむ形の刃があるので、このバイトは刀の碗を原料に挿して円の最適部位を出すことができ、操作は非常に力を省いて、そして比較的に硬い野菜と果物の上で非常に完璧な円形の球体の製品を得ることができる、しかも余分の部分を取り除いてことができる。
実用的な新型の技術の方案を以下の採択して実現に来た、実用新案の回し取るボールのバイトが含む取っ手の主体と半分円型の刀の碗、その中の主体は半円碗型の刀間とあって件につながる、半円碗形刀の半円面の上で多辺形の孔があって、孔の周辺は削って作用の刃を切ることを持つのだ。余分の部分を取り除いてことができる、球体の表面が円光、外観は美しい。
実用的な新型は実施の方式の中で、述べた半円形刀碗円柱形の機械部品など両端の面はと主な竿の体が９０°の角度になるので、刀の碗につながる主な竿の体につながる夾角に１３５°の角度で、刀の碗につながる半円形刀碗の円柱形機械部品など両端の間の夾角につながっておよそ４５°の角度になる。
実用的な新型の実施の方式中で、述べた半円形刀碗の周辺の上で開いた多辺形の刃は半円形刀碗の周辺の上にへこんでいる形の刃を開くのだ。
次に挿し絵の提供した実施の例を結び付けて実用的で新しい事件の構造について詳しい説明をして、実用新案の特徴と機能に更に明瞭にならせる。
挿し絵の説明
図１は実用新案改良回してボールのバイトの説明図。
図２実用別新案改良回してボールのバイトも１つの説明図。
図３半円形刀碗の周辺の上で開いた多辺形のへこむ形の刃の実施すると例の説明図。
図４半円形刀碗の周辺の上で開いた多辺形のへこむ形の刃も１の説明図。
図５半円形刀碗の周辺の上で開いた多辺形のへこむ形の刃更に例の説明図。
図６半円形刀碗の周辺の上で開いた多辺形のへこむ形の刃実施例の説明図。
実施の方式
挿し絵１を参照して、実用的な新型の技術の方案を以下の採択して実現に来た、実用新案の回し取るボールのバイトが含む取っ手の主体１と半分円型の刀の碗３、その中の主体は半円碗型の刀間とあって件２につながる、半円碗形刀３の半円面の上で多辺形の孔４があって、孔の周辺５は削って作用の刃６を切ることを持つのだ。余分の部分を取り除いてことができる、球体の表面が円光、外観は美しい。
挿し絵２を参照して、述べた半円形刀碗３円柱形の機械部品など両端の面はと主な竿の体が９０°の角度になるので、刀の碗３につながる２と主な竿の体１につながる間の夾角に１３５°の角度で、刀の碗３につながる２半円形刀碗３円柱形機械部品など両端の面の夾角につながっておよそ４５°の角度になる。
挿し絵１と挿し絵３を参照して、実用新案の実施方式の中で、述べた半円形刀碗３の周辺の上で開いたのが多辺形のへこむ形の刃の５を設置し、半円形刀碗３周辺の片側上の１つへこんでいる形の刃の５がある。
挿し絵４参照して、実用新案の実施方式の中で、述べた半円形刀碗３の周辺の上で開いたのが多辺形のへこむ形の刃の５を設置し、半円形刀碗３周辺任意の片側の１つへこんでいる形の刃の５がある。
挿し絵５参照して、実用新案の実施方式の中で、述べた半円形刀碗３の周辺の上で開いたのが多辺形のへこむ形の刃の５を設置し、両側の上の２つのつりあいがとれたへこむ形の刃の５。
以上は実用新案の実施の例、一般に実用新案の変化に従って特許の範囲の行った申請は、すべて実用的で新しい事件に属して特許の範囲以内を申請する。
権      利      要      求      書                            
１．１種餡入りの機能付き回してボールのバイト、含む取っ手の主体と半分円型の刀の碗、その中の主体は半円碗型の刀間とあって件につながると、半円碗型の刀は円柱形の機械部品など両端の面と主体は４５〜６０度の角度になって、１面の枢につながって１の長い連接棒をつないで、この長い連接棒の１面は軸を回してと１の短い連接棒につながることを通して；リードを弾いてと軸を巻いて回して長い連接棒と短い連接棒の内で設けて長い連接棒の別の１面は１ドローバーがあってこのドローバーの１面は埋めてあんの材料のホッパーを設けてすることがあって、ドローバーが適当で埋めるにあんの材料の角度を曲がる、主な竿の体の上でまたかなめを通して１の曲がっている竿があって、この曲がった竿の一部は短い連接棒の上部でよることをおさえて、曲がった竿の１面は取っ手である。
２．権利によって１種餡入りの機能付き回してボールのバイトの特徴は半円碗形の刀は半円型の面の上でいくらの形の孔があることにあって、孔の周辺は削って作用の刃を切ることを持つのだ．
要                            旨                            
当実用新案は１種改良の回してボールのバイトに関連する、含む取っ手の主体と半分円型の刀の碗、その中の主体は半円碗型の刀間とあって件につながると、半円碗型の刀は円柱形の機械部品など両端の面と主体は４５〜６０度の角度になって、１面の枢につながって１の長い連接棒をつないで、この長い連接棒の１面は軸を回してと１の短い連接棒につながることを通して；リードを弾いてと軸を巻いて回して長い連接棒と短い連接棒の内で設けて長い連接棒の別の１面は１ドローバーがあってこのドローバーの１面は埋めてあんの材料のホッパーを設けてすることがあって、ドローバーが適当で埋めるにあんの材料の角度を曲がる、主な竿の体の上でまたかなめを通して１の曲がっている竿があって、この曲がった竿の一部は短い連接棒の上部でよることをおさえて、曲がった竿の１面は取っ手である。このバイトは比較的に硬い野菜と果物の上でとても完璧な球体を得る、製品が多様化となる。
【図１】
2008109949.tif 000003
【図２】
2008109949.tif 000004
【図３】
2008109949.tif 000005
【図４】
2008109949.tif 000006
【図５】
2008109949.tif 000007
【図６】
2008109949.tif 000008
【手続補正書】
【提出日】平成19年8月3日(2007.8.3)
【手続補正２】
【補正対象書類名】明細書
【補正対象項目名】全文
【補正方法】変更
【補正の内容】
【発明の詳細な説明】
【技術分野】
【０００１】  この実用新案は食品を加工するバイトに関連する、特に食品を加工することが餡入り機能付回しボール取りバイトに関連する。このバイトは比較的に硬い野菜と果物の上でとても完璧な球体を得る。
【背景技術】
【０００２】  食品の飲食業の中で、通常いくつか造型の製品を加工して、これらの造型の製品はバイトを通して加工してなるのだ。今ごろ、食品を加工することに用いて、例えば野菜、果物の造型のバイトは種類が非常に多くて、原料加工が球形のバイトになることにとって、現在このようなバイトは半円形碗の刀構造で、それは円形の製品だけを加工することができて、半円のてっぺんで穴がひとつあって、その作用は操作の時に気体を放つので、この穴は放気穴と言います、このようなバイトの取っ手と刀の碗は平行の構造になって、そのため操作する時抵抗力は大きくて、作用力は不合理で、操作はきわめて不便である、しかも刀の碗は原料を挿して円の最適部位を出すことができない。それ以外に作った球体の製品は円ではない、製品の外観がよくないことをもたらす。当申請者はこのようなバイトに対して（ＣＮ２００３２０１０００６４）改良して、主な竿と半円形の刀碗と接続の角度に対して改良、しかしこのようなバイトはやはり一定の問題が存在して、例えば完全している円形を得ることができなくて、そのため改良の必要がある
【発明の開示】
【０００３】  実用的な新型の目的は上述であることを克服して技術の欠陥があって、１種改良して回しボールのバイトを提供して、それは刀碗の周辺の設置がへこむ形の刃があるので、このバイトは刀の碗を原料に挿して円の最適部位を出すことができ、操作は非常に力を省いて、そして比較的に硬い野菜と果物の上で非常に完璧な円形の球体の製品を得ることができる、しかも余分の部分を取り除いてことができる。
実用的な新型の技術の方案を以下の採択して実現に来た、実用新案の回し取るボールのバイトが含む取っ手の主体と半分円型の刀の碗、その中の主体は半円碗型の刀間とあって件につながる、半円碗形刀の半円面の上で多辺形の孔があって、孔の周辺は削って作用の刃を切ることを持つのだ。余分の部分を取り除いてことができる、球体の表面が円光、外観は美しい。
実用的な新型は実施の方式の中で、述べた半円形刀碗円柱形の機械部品など両端の面はと主な竿の体が９０°の角度になるので、刀の碗につながる主な竿の体につながる夾角に１３５°の角度で、刀の碗につながる半円形刀碗の円柱形機械部品など両端の間の夾角につながっておよそ４５°の角度になる。
実用的な新型の実施の方式中で、述べた半円形刀碗の周辺の上で開いた多辺形の刃は半円形刀碗の周辺の上にへこんでいる形の刃を開くのだ。
挿し絵１を参照して、実用的な新型の技術の方案を以下の採択して実現に来た、実用新案の回し取るボールのバイトが含む取っ手の主体１と半分円型の刀の碗３、その中の主体は半円碗型の刀間とあって件２につながる、半円碗形刀３の半円面の上で多辺形の孔４があって、孔の周辺５は削って作用の刃６を切ることを持つのだ。余分の部分を取り除いてことができる、球体の表面が円光、外観は美しい。
挿し絵２を参照して、述べた半円形刀碗３円柱形の機械部品など両端の面はと主な竿の体が９０°の角度になるので、刀の碗３につながる２と主な竿の体１につながる間の夾角に１３５°の角度で、刀の碗３につながる２半円形刀碗３円柱形機械部品など両端の面の夾角につながっておよそ４５°の角度になる。
挿し絵１と挿し絵３を参照して、実用新案の実施方式の中で、述べた半円形刀碗３の周辺の上で開いたのが多辺形のへこむ形の刃の５を設置し、半円形刀碗３周辺の片側上の１つへこんでいる形の刃の５がある。
挿し絵４参照して、実用新案の実施方式の中で、述べた半円形刀碗３の周辺の上で開いたのが多辺形のへこむ形の刃の５を設置し、半円形刀碗３周辺任意の片側の１つへこんでいる形の刃の５がある。
挿し絵５参照して、実用新案の実施方式の中で、述べた半円形刀碗３の周辺の上で開いたのが多辺形のへこむ形の刃の５を設置し、両側の上の２つのつりあいがとれたへこむ形の刃の５。
以上は実用新案の実施の例、一般に実用新案の変化に従って特許の範囲の行った申請は、すべて実用的で新しい事件に属して特許の範囲以内を申請する。
次に挿し絵の提供した実施の例を結び付けて実用的で新しい事件の構造について詳しい説明をして、実用新案の特徴と機能に更に明瞭にならせる。
【図面の簡単な説明】
【０００４】
【図１】は実用新案改良回してボールのバイトの説明図。
【図２】実用別新案改良回してボールのバイトも１つの説明図。
【図３】半円形刀碗の周辺の上で開いた多辺形のへこむ形の刃の実施すると例の説明図。
【図４】半円形刀碗の周辺の上で開いた多辺形のへこむ形の刃も１の説明図。
【図５】半円形刀碗の周辺の上で開いた多辺形のへこむ形の刃更に例の説明図。
【図６】半円形刀碗の周辺の上で開いた多辺形のへこむ形の刃実施例の説明図。
【手続補正３】
【補正対象書類名】特許請求の範囲
【補正対象項目名】全文
【補正方法】追加
【補正の内容】
【特許請求の範囲】
【請求項１】
１．１種餡入りの機能付き回してボールのバイト、含む取っ手の主体と半分円型の刀の碗、その中の主体は半円碗型の刀間とあって件につながると、半円碗型の刀は円柱形の機械部品など両端の面と主体は４５〜６０度の角度になって、１面の枢につながって１の長い連接棒をつないで、この長い連接棒の１面は軸を回してと１の短い連接棒につながることを通して；リードを弾いてと軸を巻いて回して長い連接棒と短い連接棒の内で設けて長い連接棒の別の１面は１ドローバーがあってこのドローバーの１面は埋めてあんの材料のホッパーを設けてすることがあって、ドローバーが適当で埋めるにあんの材料の角度を曲がる、主な竿の体の上でまたかなめを通して１の曲がっている竿があって、この曲がった竿の一部は短い連接棒の上部でよることをおさえて、曲がった竿の１面は取っ手である。
２．権利によって１種餡入りの機能付き回してボールのバイトの特徴は半円碗形の刀は半円型の面の上でいくらの形の孔があることにあって、孔の周辺は削って作用の刃を切ることを持つのだ．